(57)【特許請求の範囲】
【請求項１】
弾力性を有する板状本体（２）と、
前記板状本体（２）の略中央を貫通するように開けた取っ手掛止め孔（３）と、から成り、
扉（５１）を開閉する際に、ドアノブ（５２）の取っ手部（５３）を握っている手指（Ｆ）がドアノブ本体（５４）側へ移動することを防止するために、該取っ手部（５３）の途中に前記取っ手掛止め孔（３）を挿抜自在に挿し込めるように構成した、ことを特徴とするドアノブ用安全具。
【請求項２】
前記取っ手掛止め孔（３）は、前記取っ手部（５３）に挿抜しやすいように、該取っ手掛止め孔（３）内周縁の横断面が略湾曲形状になるように形成した、ことを特徴とする請求項１のドアノブ用安全具。
【請求項３】
前記取っ手掛止め孔（３）は、外径（Ｄ１，Ｄ２）が異なる取っ手部（５３）を掛止めるために、該取っ手掛止め孔（３）の内周に複数の凹部（３ａ）を形成した、ことを特徴とする請求項１のドアノブ用安全具。
【請求項４】
前記取っ手掛止め孔（３）は、これを掛け止めた取っ手部（５３）でガタつかないように、前記板状本体（２）に取っ手掛止め孔（３）に沿って、その挿通方向に立ち上がるように縁部（４）を形成した、ことを特徴とする請求項１のドアノブ用安全具。
【発明の詳細な説明】
【技術分野】
【０００１】
本発明は、ドアノブの取っ手部に取り付け、手指がこの取っ手部とドアノブ本体との間隙に挟まれることを防止するドアノブ用安全具に関する。
【背景技術】
【０００２】
コンパートメント出入口扉５１のドアノブ５２は、例えば図７に示すように、取っ手部５３がラッチ式のものが多い。この取っ手部５３は、ドアノブ本体５４内のばねで復帰するようになっている。また扉５１の開閉時は、コンパートメント内外の気圧差により、開閉する際に強い力を必要とすることがある。
【０００３】
このようなドアノブに取り付ける安全具に関する技術として、例えば特許文献１の特開２００２−１２１９５４号公報「ドアストッパー」に示すように、床面とドア下縁との隙間に介在させたときにドア下縁に圧接する傾斜面を有して、ドアを開放状態に維持するためのくさび部と、ドアのヒンジに掛止することが可能なフック部と、このフック部を前記ヒンジに掛止したときにドア側面とドア枠との間に介在され、ドアを所定角度以上の開放状態に維持するためのヒンジ用挟持部とを一体に備えたドアストッパーが提案されている。
【特許文献１】特開２００２−１２１９５４号公報
【発明の開示】
【発明が解決しようとする課題】
【０００４】
このようにラッチ式のドアノブ５２では、取っ手部５３がばねで復帰するようになっているので、この取っ手部５３を強い力で手で握り、扉５１を開閉しているので、扉５１の開閉時に、図７（ｂ）に示すように、誤ってドアノブ本体５４と取っ手部５３との間隙（矢視線Ｘ部分）に手指Ｆを挟みやすいという問題を有していた。
【０００５】
特許文献１の「ドアストッパー」は、ドアノブに取り付ける安全具ではあるが、ドアを固定する技術で、手指が取っ手部とドアノブ本体との間隙に挟まれることを防止するような技術ではなかった。
【０００６】
本発明は、かかる問題点を解決するために創案されたものである。すなわち、本発明の目的は、既存のドアノブに簡単に取り付けることで、扉の開閉時におけるドアノブ本体と取っ手部とで手指の挟み込みを防止し、ドア開閉時の安全性の向上を図ることができるドアノブ用安全具を提供することにある。
【課題を解決するための手段】
【０００７】
本発明によれば、弾力性を有する板状本体（２）と、前記板状本体（２）の略中央を貫通するように開けた取っ手掛止め孔（３）と、から成り、扉（５１）を開閉する際に、ドアノブ（５２）の取っ手部（５３）を握っている手指（Ｆ）がドアノブ本体（５４）側へ移動することを防止するために、該取っ手部（５３）の途中に前記取っ手掛止め孔（３）を挿抜自在に挿し込めるように構成した、ことを特徴とするドアノブ用安全具が提供される。
例えば、前記取っ手掛止め孔（３）は、前記取っ手部（５３）に挿抜しやすいように、該取っ手掛止め孔（３）内周縁の横断面が略湾曲形状になるように形成することが好ましい。
【０００８】
前記取っ手掛止め孔（３）は、外径（Ｄ１，Ｄ２）が異なる取っ手部（５３）を掛止めるために、該取っ手掛止め孔（３）の内周に複数の凹部（３ａ）を形成することができる。
前記取っ手掛止め孔（３）は、これを掛け止めた取っ手部（５３）でガタつかないように、前記板状本体（２）に取っ手掛止め孔（３）に沿って、その挿通方向に立ち上がるように縁部（４）を形成することが好ましい。
【発明の効果】
【０００９】
上記構成の発明では、ドアノブ用安全具（１）をドアノブ（５２）の取っ手部（５３）の途中に挿し込むことにより、扉（５１）を開閉する際に、取っ手部（５３）を握っている手指（Ｆ）がドアノブ本体（５４）側へ移動することを防止する。そこで、手指（Ｆ）がドアノブ本体（５４）と取っ手部（５３）との間隙に挟まれることを防止することができる。
ドアノブ用安全具（１）は、弾力性を有する板状本体（２）から成るので、取っ手掛止め孔（３）をドアノブ（５２）の取っ手部（５３）の途中に容易に挿抜自在に挿し込むことができる。特に、簡単な構造であるために、既存のドアノブ（５２）に容易に取り付けることができる。また、取っ手部（５３）の外径と、ドアノブ用安全具（１）の取っ手掛止め孔（３）の内径とにある程度の相違があっても、板状本体（２）が弾力性を有するので容易に装着することができる。
【００１０】
取っ手掛止め孔（３）内周縁の横断面が略湾曲形状になるように形成した取っ手掛止め孔（３）は、取っ手部（５３）に容易に差し込むことができる。また、容易に抜き取ることができる。
【００１１】
内周に複数の凹部（３ａ）を形成した取っ手掛止め孔（３）は、外径（Ｄ１，Ｄ２）が異なる取っ手部（５３）をその位置に合わせて掛け止めることができる。
また、板状本体（２）に取っ手掛止め孔（３）に沿って、その挿通方向に立ち上がるように縁部（４）を形成したものは、この縁部（４）が取っ手部（５３）でガタつかないように掛け止めることができる。
【発明を実施するための最良の形態】
【００１２】
本発明のドアノブ用安全具は、既存のドアノブに鍔状の安全具を取り付け、扉の開閉時に、ドアノブ本体と取っ手部とで手指の挟み込みを防止することができる器具である。
【実施例１】
【００１３】
以下、本発明の好ましい実施の形態を図面を参照して説明する。
図１は実施例１のドアノブ用安全具を示すものであり、（ａ）は正面図、（ｂ）は断面図である。
本発明のドアノブ用安全具１は、弾力性を有する板状本体２と、この板状本体２の略中央を貫通するように開けた取っ手掛止め孔３とから成る。板状本体２はゴム製又は軟性の剛性樹脂製の弾力性を有する素材である。なお、図示例では略四角形状に形成したものを示したが、円形状、多角形状その他の形状に形成することは勿論可能である。
【００１４】
取っ手掛止め孔３は、ドアノブ５２の取っ手部５３に挿抜自在に挿し込めるように、取っ手部５３の外径と略同じ内径を有する。また、取っ手掛止め孔３は、図示例では略四角形状に形成したものを示したが、これはドアノブ５２の取っ手部５３の横断面形状に合わせるためである。例えば取っ手部５３の横断面形状が円形であれば、取っ手掛止め孔３も円形状に形成する。
【００１５】
図２は本発明のドアノブ用安全具をドアノブに装着する状態を示す断面図である。
このように構成したドアノブ用安全具１は、板状本体２が弾力性を有するので、その取っ手掛止め孔３をドアノブ５２の取っ手部５３の途中に容易に挿抜自在に挿し込むことができる。そこで、既存のドアノブ５２に容易に装着することができる。また、取っ手部５３の外径と、ドアノブ用安全具１の取っ手掛止め孔３の内径とに若干の相違があっても、板状本体２が弾力性を有するので容易に装着することができる。
【００１６】
図３は本発明のドアノブ用安全具の装着状態を示す説明図であり、（ａ）は取っ手部を手前に引いてる状態、（ｂ）は取っ手部がドアノブ本体側に戻るときに手指を保護している状態である。
本発明のドアノブ用安全具１は、これを取っ手部５３の途中に挿し込むことにより、扉５１を開閉する際に、ドアノブ５２の取っ手部５３を握っている手指Ｆがドアノブ本体５４側へ移動することを防止することができる。そこで、手指Ｆをドアノブ本体５４と取っ手部５３との間隙に挟むことを防止することができる。
【００１７】
図４は実施例１のドアノブ用安全具の変形例を示すものであり、（ａ）は正面図、（ｂ）は断面図である。
このドアノブ用安全具１の変形例は、取っ手掛止め孔３内周縁の横断面が略湾曲形状になるように形成した。このように形成した取っ手掛止め孔３は、取っ手部５３に挿抜しやすくなる。この取っ手掛止め孔３内周縁の横断面は、図示するように略湾曲形状に限定されず、取っ手部５３に挿し込みやすいように一方向に傾斜した状態であってもよい。
【実施例２】
【００１８】
図５は実施例２のドアノブ用安全具を示すものであり、（ａ）は正面図、（ｂ）は断面図である。
実施例２のドアノブ用安全具１は、取っ手掛止め孔３の内周に複数の凹部３ａを形成した。このように形成した取っ手掛止め孔３では、外径Ｄ１，Ｄ２が異なる取っ手部５３を掛止めることができる。例えば、図５（ａ）に示すように、長い径の取っ手部５３には、矢視線を上下方向の向きに示した長い径Ｄ１の取っ手掛止め孔３を挿し込む。また、短い径Ｄ２の取っ手部５３には、矢視線を傾斜方向の向きに示した短い径Ｄ２の取っ手掛止め孔３を挿し込むことにより、何れの取っ手部５３にも隙間なく挿し込むことができる。なお、図示例では２種類の取っ手部５３の外径に合せたものを示しているが、この２種類に限定されず、径の長さが３種類以上のものに合せるように、取っ手掛止め孔３を形成することができる。
【実施例３】
【００１９】
図６は実施例３のドアノブ用安全具を示すものであり、（ａ）は正面図、（ｂ）は断面図である。
実施例３のドアノブ用安全具１は、板状本体２に取っ手掛止め孔３に沿って、その挿通方向に立ち上がるように縁部４を形成した。このように形成した取っ手掛止め孔３では、掛け止めた取っ手部５３を包むようになるので、取っ手部５３に対してドアノブ用安全具１がガタつかないようになる。縁部４は図示例では板状本体２の一面側のみに形成したものを示しているが、両面に形成することは勿論可能である。
【００２０】
なお、本発明は、既存のドアノブ５２に簡単に取り付けることで、扉５１の開閉時におけるドアノブ本体５４と取っ手部５３とで手指Ｆの挟み込みを防止し、ドア開閉時の安全性の向上を図ることができできれば、上述した実施例に限定されず、本発明の要旨を逸脱しない範囲で種々変更できることは勿論である。
【産業上の利用可能性】
【００２１】
本発明のドアノブ用安全具は、コンパートメント出入口扉５１のドアノブ５２以外にも、様々な扉に利用することができる。
【図面の簡単な説明】
【００２２】
【図１】実施例１のドアノブ用安全具を示すものであり、（ａ）は正面図、（ｂ）は断面図である。
【図２】本発明のドアノブ用安全具をドアノブに装着する状態を示す断面図である。
【図３】本発明のドアノブ用安全具の装着状態を示す説明図であり、（ａ）は取っ手部を手前に引いてる状態、（ｂ）は取っ手部がドアノブ本体側に戻るときに手指を保護している状態である。
【図４】実施例１のドアノブ用安全具の変形例を示すものであり、（ａ）は正面図、（ｂ）は断面図である。
【図５】実施例２のドアノブ用安全具を示すものであり、（ａ）は正面図、（ｂ）は断面図である。
【図６】実施例３のドアノブ用安全具を示すものであり、（ａ）は正面図、（ｂ）は断面図である。
【図７】従来のドアノブを示す説明図であり、（ａ）は取っ手部を手前に引いてる状態、（ｂ）は取っ手部がドアノブ本体側に戻るときに手指が挟まれた状態である。
【符号の説明】
【００２３】
１  ドアノブ用安全具
２  板状本体
３  取っ手掛止め孔
３ａ  取っ手掛止め孔の凹部
４  縁部
５１  扉
５２  ドアノブ
５３  取っ手部
５４  ドアノブ本体
【図１】
0004918691.tif 000002
【図２】
0004918691.tif 000003
【図３】
0004918691.tif 000004
【図４】
0004918691.tif 000005
【図５】
0004918691.tif 000006
【図６】
0004918691.tif 000007
【図７】
0004918691.tif 000008